(57)【要約】【課題】  構成が簡素で取り扱い易く、多数の捕獲器を容易に積層させることの可能な捕獲器を提供すること。【解決手段】  獲物を捕らえる捕獲部４と、この捕獲部４を支持する底フレーム２３と、底フレーム２３に設けられ捕獲部４を外部と仕切る仕切部３３と、捕獲部４への獲物の侵入を許容し脱出を防ぐ進入路５とを備える。捕獲部４はフレーム２３から突出している。仕切部３３を閉塞した状態で張らせることを可能にする弛緩調整具１０を設け、弛緩調整具１０は仕切部３３を弛緩させ、捕獲部４を他の捕獲器の底フレーム２３に受け入れさせて複数の捕獲器を積層可能とする。【選択図】    図１
2006109836.tif 000002
【特許請求の範囲】
【請求項１】
獲物を捕らえる捕獲部（４）と、この捕獲部（４）を支持する底フレーム（２３）と、底フレーム（２３）に設けられ前記捕獲部（４）を外部と仕切る仕切部（３３）と、前記捕獲部（４）への獲物の進入を許容し脱出を防ぐ進入路（５）とを備え、前記捕獲部（４）が前記底フレーム（２３）から突出している捕獲器であって、前記仕切部（３３）を閉塞した状態で張らせることを可能にする弛緩調整具（１０）を設け、前記弛緩調整具（１０）は前記仕切部（３３）を弛緩させ、前記捕獲部（４）を他の捕獲器の底フレーム（２３）に受け入れさせて複数の捕獲器を積層可能であることを特徴とする捕獲器。
【請求項２】
前記仕切部（３３）は前記弛緩調整具（１０）により開口可能であることを特徴とする請求項１に記載の捕獲器。
【請求項３】
前記進入路（５）は大径の外側孔（４１）から小径の内側孔（４２）に至るテーパー状に形成され、この進入路（５）の一部が前記仕切部（３３）の一部であることを特徴とする請求項１又は２に記載の捕獲器。
【請求項４】
前記捕獲部（４）内部に網で形成されたえさ袋（５２）を備えたえさ保持部（５０）を有し、前記えさ袋（５２）は開口部（５１）を介して前記捕獲部（４）の外側に連通し、このえさ袋（５２）内部に対し前記捕獲部（４）外部から前記開口部（５１）を介してえさ（１００）を挿入可能であることを特徴とする請求項１〜３のいずれかに記載の捕獲器。
【請求項５】
前記えさ袋（５２）は前記開口部（５１）を貫通する取出紐（５３）と連結され、この取出紐（５３）を引くことで、前記えさ袋（５２）を前記捕獲部（４）の外部に取り出すことが可能であることを特徴とする請求項４に記載の捕獲器。
【請求項６】
前記えさ袋（５２）は、少なくとも網（３）で形成された上部（３１）に取り付けられ、前記えさ袋（５２）の開口部（５１）が、絞り紐（５５）により張られた上部（３１）を形成する網（３）の端部により狭められて形成されることを特徴とする請求項４又は５に記載の捕獲器。
【請求項７】
前記仕切部（３３）が網（３）より形成されていることを特徴とする請求項１〜６のいずれかに記載の捕獲器。
【請求項８】
前記弛緩調整具（１０）が前記仕切部の開放された取出口（６）における周囲の網目に通した紐（１１）と止め具（１２）とを備えていることを特徴とする請求項７に記載の捕獲器。
【発明の詳細な説明】
【技術分野】
【０００１】
本発明は、捕獲器に関する。さらに詳しくは、獲物を捕らえる捕獲部と、この捕獲部を支持する底フレームと、底フレームに設けられ前記捕獲部を外部と仕切る仕切部と、前記捕獲部への獲物の進入を許容し脱出を防ぐ進入路とを備え、
前記捕獲部が前記底フレームから突出している捕獲器に関する。
【背景技術】
【０００２】
上述の如く捕獲器としては、例えば特許文献１、２に記載の如き発明が知られている。特許文献１に記載の発明では、半球状の上部を折りたたむことが可能である。しかし、フレームの構造が複雑で折りたたみ作業も煩雑である反面、円筒状の湖底部は多数積層できず収容に不便であった。
【０００３】
一方、特許文献２に記載の如き発明は、底部より突出した突出部を下のかごの開口に係合させ積み重ねることが可能である。しかし、別体の底部を外してから捕獲罠上面に他方の捕獲罠を積み重ねなければならず、取り扱いに不便であった。
【特許文献１】特開２００１−２３８５６９号
【特許文献２】特開昭５８−９６３２号
【発明の開示】
【発明が解決しようとする課題】
【０００４】
かかる従来の実情に鑑みて、本発明は、構成が簡素で取り扱い易く、多数の捕獲器を容易に積層させることの可能な捕獲器を提供することを目的とする。
【課題を解決するための手段】
【０００５】
上記目的を達成するため、本発明に係る捕獲器の特徴は、獲物を捕らえる捕獲部と、この捕獲部を支持する底フレームと、底フレームに設けられ前記捕獲部を外部と仕切る仕切部と、前記捕獲部への獲物の進入を許容し脱出を防ぐ進入路とを備え、前記捕獲部が前記底フレームから突出している構成であって、前記仕切部を閉塞した状態で張らせることを可能にする弛緩調整具を設け、前記弛緩調整具は前記仕切部を弛緩させ、前記捕獲部を他の捕獲器の底フレームに受け入れさせて複数の捕獲器を積層可能であることにある。
【０００６】
同特徴によれば、仕切部を弛緩調整具により弛緩させるだけの簡易な操作で捕獲部を重ね合わせて多くの捕獲器を積層させることができる。
【０００７】
また、前記仕切部は前記弛緩調整具により開口可能であることが望ましい。仕切部を開口可能とすることで、仕切部の弛緩と捕獲した獲物の取出とを兼務させることができるからである。
【０００８】
さらに、前記進入路は大径の外側孔から小径の内側孔に至るテーパー状に形成され、この進入路の一部が前記仕切部の一部としてもよい。同特徴によれば、進入路がテーパー状であるため、一旦捕獲部に進入した獲物は外部に脱出することが困難となる。さらに、進入路の一部が仕切部の一部であるため、仕切部の弛緩と共に進入路も弛緩させることができる。
【０００９】
前記捕獲部内部に網で形成されたえさ袋を備えたえさ保持部を有し、前記えさ袋は開口部を介して前記捕獲部の外側に連通し、このえさ袋内部に対し前記捕獲部外部から前記開口部を介してえさを挿入可能であることが望ましい。同特徴によれば、えさ袋が開口部を介して捕獲部の外側と連通しているので、えさの取付の作業性を向上させることができ、しかも、簡単な構成でありながら捕獲物が上部から逃げ出すこともない。
【００１０】
前記えさ袋は前記開口部を貫通する取出紐と連結され、この取出紐を引くことで、前記えさ袋を前記捕獲部の外部に取り出すことが可能であるようにしてもよい。同特徴によれば、えさの取付と交換とをさらに容易に行うことができ、メンテナンスも容易となる。
【００１１】
前記えさ袋は、少なくとも網で形成された上部に取り付けられ、前記えさ袋の開口部が、絞り紐により張られた上部を形成する網の端部により狭められて形成されることが望ましい。同特徴によれば、絞り紐によって生じる張力により、網の端部によって開口部が狭められるため、開口部からのえさの脱落を防止することができる。
【００１２】
また、前記仕切部が網より形成されていてもよく、前記弛緩調整具が前記仕切部の開放された取出口における周囲の網目に通した紐と止め具とを備えていることが望ましい。同特徴によれば、紐により取出口を絞ることで仕切部の弛緩を行うことができ、簡単に獲物の取出及び積層作業を行うことができる。
【発明の効果】
【００１３】
このように、上記本発明に係る捕獲器の特徴によれば、弛緩調整具により仕切部を弛緩させる簡素な構成で取り扱い易い構成で多くの捕獲器を積層することができる。また、弛緩調整具に開口部を設けることにより、獲物の取出を弛緩と兼務させることができるようになった。また、簡素な構成で、えさの取付作業性を向上させるとともに、えさの脱落を防止し、かつ、捕獲物が逃げ出さないようにすることが可能となった。そして、弛緩調整具を紐と止め具により構成することで、捕獲器の作業性をさらに向上させることが可能となった。
【００１４】
本発明の他の目的、構成及び効果については、以下の発明の実施の形態の項から明らかになるであろう。
【発明を実施するための最良の形態】
【００１５】
次に、適宜図１〜８、１４〜１７を参照しながら、本発明の第一実施形態についてさらに詳しく説明する。本発明に係る捕獲器１は、主として蛸を捕獲する捕獲器であり、図１に示すように、大略フレーム２、網３、捕獲部４、進入路５、取出口６、弛緩調整具１０よりなる。
【００１６】
フレーム２は略円形の上部フレーム２１、底部フレーム２３とそれらを連結する側部フレーム２２よりなる。図２に示すように、上部フレーム２１と底部フレーム２３は平面視で同心円となるよう側部フレーム２２に支持されている。また、上部フレーム２１の径は底部フレーム２３の径より小さく形成され、捕獲部４全体をテーパー状に構成している。底部フレーム２３には、同径の保護フレーム２４が固定バンド２５により固定されている。保護フレーム２４は、海底、川底等に設置した際に岩等から網を保護すると共に捕獲器１を沈めるための重りともなる。
【００１７】
網３は上部フレーム２１，側部フレーム２２，底部フレーム２３に張られ、上部３１，側部３２、仕切部３３を形成する。図７に示すように、網３は底部フレーム２３により折り曲げられると共に、底部フレーム２３と保護フレーム２４に挟持され、底部フレーム２３及び保護フレーム２４と共に固定バンド２５により固定されて仕切部３３を形成する。上部３１は平面をなし、上部３１のほぼ中央部には海底等に設置及び引き上げるための吊り紐７が取り付けられている。側部３２は円錐台状を呈し、その一部は開口しており、後述の進入路５の外側孔４１が取り付けられている。
【００１８】
図４、５に示すように、仕切部３３には取出口６、弛緩調整具１０を設けてある。取出口６は仕切部３３のほぼ中央部に設けられた弛緩調整具１０により開閉自在となる孔である。弛緩調整具１０は、紐１１と止め具１２よりなり、紐１１は取出口６の周縁の網目に通され端部を結束している。止め具１２は紐１１にスライド自在に設けられ、弛緩調整具１０より閉じられた取出口６を開かないよう固定する。
【００１９】
仕切部３３の操作について説明する。仕切部３３を張らせる場合、図４（ａ）に示すように、取出口６の周縁の網目に通され紐１１を絞り取出口６を閉じると共に、紐１１に通された止め具１２を閉じられた取出口６までスライドさせ取出口６を固定して仕切部３３を張らせる。一方、仕切部３３を弛緩させる場合には、図４（ｂ）に示すように、取出口６にある止め具１２をスライドさせ紐１１を緩め取出口６を開くことで仕切部３３を弛緩させる。仕切部３３を弛緩されることにより、捕獲した獲物を取出口６より取り出すことができる。さらに、取出口６は上部フレーム２１の径より大きく開くことができ、図６に示すように、各捕獲器１ａ〜ｃの取出口６ａ〜ｃを開いた状態で複数の捕獲器１ａ〜ｃを順次積層させることができる。
【００２０】
捕獲部４は、フレーム２に張られた網３により形成される各面に囲まれた円錐台形を呈し、内部に進入路５を備えている。進入路５は、網３とは異なる別の網により形成されたテーパー部４３と仕切部３３の一部とからなる。獲物が進入する外側孔４１は、一部が略台形に切り取られた側部３２の縁部にテーパー部４３を縫合して構成してある。外側孔４１の底辺となる仕切部３３は底部フレーム２３に固定されている。テーパー部４３の下端は、捕獲部４中央近傍に対しテーパー状となるよう仕切部３３に縫合され、内側孔４２が捕獲部４中央部近傍に形成される。よって、進入路５の底部は仕切部３３の一部となり、仕切部３３を張ることにより進入路５の位置を固定することができる。また、内側孔４２は外側孔４１と比べ小径に形成されており、一度進入した獲物が捕獲部４より脱出することができないように構成されている。
【００２１】
使用に際しては、捕獲部４内部にいわしの切り身等のえさを収め、弛緩調整具１０により仕切部３３を張らせ、吊り紐７にて釣り紐に取り付け、海中に投入する。その後、捕獲器１を引き上げ、蛸等の獲物が捕獲されていれば、仕切部３３を弛緩させて取出口６より獲物を取り出し、図６のように取出口６を開いた状態で他の捕獲器１に重ねる。
【００２２】
次に、図９〜１２、１８〜２０を参照しながら、本発明の第二実施形態について説明する。なお、以下の実施形態において、上述の実施形態と同様の部材には同じ符号を附すこととする。図１０（ａ）に示すように、本実施形態において、捕獲器１は、上記実施形態に加えさらに、えさ保持部５０と、捕獲器１の中心に対し対称に２つの進入路５ａ，５ｂを備えている。
【００２３】
えさ保持部５０は、大略、えさ袋５２と取出紐５３と絞り紐５５とよりなり、上部３１の中央部に位置している。上部３１は、図９（ａ）に示すように、１枚の網３により形成される。網３は、結合部３ａにより円筒状に形成され、フレーム２に覆い被せ、図１２に示すように固定紐２６によりフレーム２に固定する。
【００２４】
図１０（ｂ）に示すように、絞り紐５５は、上部３１の中央部に網目に円形となるよう交互に通され、上部３１を形成する網３を上部３１中央方向に絞った状態で固定する。上部３１の中央部は網３の端部となり、図１１に示すように、開口部５１を形成する。上部３１には、絞り紐５５により上部３１中央方向へ張力が生じるので、上部３１が略平面となると共に、網３の端部により形成される開口部５１は狭まった状態となる。これにより、海底設置時等においてえさ１００が開口部５１から容易に飛び出すことはない。
【００２５】
図１０（ａ）に示すように、えさ袋５２は袋状を呈しており、捕獲部４内部のほぼ中央部に位置するようえさ袋５２端部が取付部５４を介して上部３１中央部に円形に取り付けられている。図１０（ｃ）に示すように、えさ袋５２底部には取出紐５３が取り付けられており、取出紐５３の他方端部は、開口部５１を通してフレーム２に固定される。図１１に示すように、取付部５４は、絞り紐５５により内側の網３の端部に位置する。よって、開口部５１は、えさ袋５２の入口を形成すると共に、えさ袋５２は上部３１と一体となり、開口部５１から捕獲物が逃げ出すこともない。
【００２６】
捕獲器１にえさ１００を取り付ける場合には、開口部５１よりいわしの切り身等のえさ１００をえさ袋５２に挿入すればよい。上述のように、開口部５１は網３の端部により形成されており、絞り紐５５により生じる張力により、えさ１００を取り付ける際には、えさ袋５２に挿入するだけでよく、作業性に優れている。さらに、開口部５１は、その張力により狭まった状態となり、えさ１００が開口部５１から容易に飛び出すことはない。なお、えさの種類や網目の細かさは獲物の種類により適宜変更が可能である。
【００２７】
また、図１０（ｃ）に示すように、取出紐５３によりえさ袋５２を捕獲部４より取り出して、えさ１００を取り付けても構わない。また、えさ１００を取り出す場合やえさ袋５２を掃除する等メンテナンスを行う場合にも、取出紐５３を引っ張るだけでよく、作業性に優れている。
【００２８】
最後に、図８、１３を参照しながら、本発明の他の実施形態について説明する。
上記各実施形態では、図８（ａ）（ｂ）に示す如く、上部フレーム２１及び底部フレーム２３を円形に形成し、上部フレーム２１及び底部フレーム２３を平行となるよう側部フレーム２２により支持し捕獲部４を円錐台状に形成した。しかし、図１３（ａ）（ｂ）に示すように、湾曲した上部フレーム２１ａ，ｂに網３を張り上部３１ａを形成し、捕獲部４ａ全体を半円形状としても構わない。
【００２９】
また、図１３（ｃ）（ｄ）に示す如く、上部フレーム２１ｂ及び底部フレーム２３ａをそれぞれ方形に形成し、側部フレーム２２より支持して台形を呈する捕獲部４ｂとしてもよい。しかし、捕獲器１を積層させるよう上部フレーム２１ｂを底部フレーム２３ａより小さく形成することが望ましい。
【００３０】
さらに、上記第一実施形態において、捕獲部４内部に進入路５を１カ所設け、進入路５の底面が仕切部３３の一部となるよう進入路５を仕切部３３に縫いつけ固定した。しかし、第二実施形態の如く複数の進入路５ａ，ｂを設けてもよく、さらに、進入路５ａ，ｂを仕切部３３と独立に設けても構わない。ただし、捕獲器１を積層させるよう進入路５ａ，ｂも弛緩可能としなければならない。
【００３１】
上記各実施形態において、仕切部３３に設けられた取出口６を弛緩調整具１０により開閉されることにより仕切部３３を弛緩させる構成とした。しかし、仕切部３３に弛み部を設け、弛み部を止め金等により捕獲器１に着脱させることにより仕切部３３を弛緩させてもよい。但し、獲物を取り出すために別途取出口６を設けなければならず、構造が複雑となり、また、着脱作業が煩雑となるため、上記実施形態がより作業性に優れている。
【産業上の利用可能性】
【００３２】
本発明は、たこを捕獲する捕獲器としてだけでなく、蟹や穴子等の魚介類全般の捕獲器としても利用することができる。
【図面の簡単な説明】
【００３３】
【図１】本発明に係る捕獲器を示す斜視図である。
【図２】本発明に係る捕獲器を示す平面図である。
【図３】本発明に係る捕獲器を示す側面図である。
【図４】（ａ）は取出口が開いた状態での捕獲器の底面図、（ｂ）は取出口が閉じた状態での捕獲器の底面図である。
【図５】進入路近傍の横断面図である。
【図６】捕獲器を積層させた状態を示す正面図である。
【図７】底部フレームの部分断面図である。
【図８】（ａ）は本発明に係る捕獲器の実施形態を示す概略側面図、（ｂ）は（ａ）の平面図である。
【図９】（ａ）は本発明に係る捕獲器の第二の実施形態における網とフレームの関係を示す概略図、（ｂ）は、フレームに網を取り付けた状態を示す斜視図である。
【図１０】（ａ）は本発明に係る捕獲器の第二の実施形態を示す概略正面図、（ｂ）は（ａ）相当の概略平面図、（ｃ）は、えさ袋本体を取り出した状態を示す概略正面図である。
【図１１】本発明に係る捕獲器の第二の実施形態を示すえさ保持部近傍の概略図である。
【図１２】本発明に係る捕獲器の第二の実施形態を示す底部フレーム近傍の拡大概略図である。
【図１３】（ａ）は他の実施形態を示す概略側面図、（ｂ）は（ａ）の平面図、（ｃ）はさらに他の実施形態を示す概略側面図、（ｄ）は（ｃ）の概略平面図である。
【図１４】本発明の第一の実施形態に係る捕獲器全体を表した写真である。
【図１５】本発明の第一の実施形態に係る捕獲器の弛緩調整具が閉じた状態を表した捕獲器の底面写真である。
【図１６】本発明の第一の実施形態に係る捕獲器の弛緩調整具が開いた状態での進入路を表した写真である。
【図１７】本発明の第一の実施形態に係る捕獲器の進入路の正面写真である。
【図１８】本発明の第二の実施形態に係る捕獲器全体を表した写真である。
【図１９】本発明の第二の実施形態に係るえさ保持部近傍を表した写真である。
【図２０】本発明の第二の実施形態に係る捕獲器のえさ袋を取り出した状態でのえさ保持部近傍を表した写真である。
【符号の説明】
【００３４】
１，１ａ〜１ｃ：捕獲器、２：フレーム、３：網、３ａ：結合部、４，４ａ，ｂ：捕獲部、５，５ａ，ｂ：進入路、６、６ａ〜６ｃ：取出口、７：吊り紐、１０，１０ａ〜１０ｃ：弛緩調整具、１１：紐、１２：止め具、２１，２１ａ，ｂ：上部フレーム、２２：側部フレーム、２３，２３ａ：底部フレーム、２４：保護フレーム、２５：固定バンド、２６：固定紐、３１，３１ａ：上部、３２，３２ａ〜ｄ：側部、３３，３３ａ〜ｄ：仕切部、４１：外側孔、４２：内側孔、４３：テーパー部、５０：えさ保持部、５１：開口部、５２：えさ袋本体、５３：取出紐、５４：取付部、５５：絞り紐、１００：えさ
【図１】
2006109836.tif 000003
【図２】
2006109836.tif 000004
【図３】
2006109836.tif 000005
【図４】
2006109836.tif 000006
【図５】
2006109836.tif 000007
【図６】
2006109836.tif 000008
【図７】
2006109836.tif 000009
【図８】
2006109836.tif 000010
【図９】
2006109836.tif 000011
【図１０】
2006109836.tif 000012
【図１１】
2006109836.tif 000013
【図１２】
2006109836.tif 000014
【図１３】
2006109836.tif 000015
【図１４】
2006109836.tif 000016
【図１５】
2006109836.tif 000017
【図１６】
2006109836.tif 000018
【図１７】
2006109836.tif 000019
【図１８】
2006109836.tif 000020
【図１９】
2006109836.tif 000021
【図２０】
2006109836.tif 000022